(57)【要約】【課題】水分除去を熱を用いて乾燥させる際、乾燥効率を向上することができ、さらに臭いの発生の少ない生ごみ資源化処理装置及び生ごみ資源化方法を提供する。【解決手段】生ごみＡの収容部１と、穀類Ｂ又はでんぷんの収容部２と、粉或いは粒状の遠赤外線放射物質Ｃの収容部２と、これら収容部１，２に接続された混合装置７と、前記混合装置７に接続され該混合装置７によって形成した混合物Ｄを乾燥するガスバーナ１５を備えた乾燥装置１２とを備える。生ごみＡの破砕物と穀類Ｂ又はでんぷんと遠赤外線放射物質Ｃを混合した後、乾燥して混合物Ｄを製造する。遠赤外線放射物質Ｃ穀類Ｂ又はでんぷんにより生ごみＡの臭い成分を封じ込めることができる。遠赤外線放射物質Ｃにより混合物Ｄを内側より加熱して乾燥することができる。混合物Ｄを飼料とすることにより、家畜などの体調を良好に保つことができる。【選択図】　　　図１
2004058027.tif 000002
【特許請求の範囲】
【請求項１】
生ごみの収容部と、穀類又はでんぷんの収容部と、粉或いは粒状の遠赤外線放射物質の収容部と、これら収容部に接続された混合装置と、前記混合装置に接続され該混合装置によって形成した混合物を乾燥する熱源を備えた乾燥装置とを備えたことを特徴とする生ごみ資源化処理装置。
【請求項２】
前記穀類又はでんぷんの収容部と、前記遠赤外線放射物質の収容部を兼用していることを特徴とする請求項１記載の生ごみ資源化処理装置。
【請求項３】
生ごみを水分除去して肥料・飼料に利用する生ごみ資源化方法において、前記生ごみに遠赤外線放射物質を混合するとともに、前記水分除去を熱処理により乾燥させることを特徴とする資源化方法。
【請求項４】
前記生ごみに前記遠赤外線放射物質の他に穀類又はでんぷんを混合することを特徴とする請求項３記載の資源化方法。
【発明の詳細な説明】
【０００１】
【発明の属する技術分野】
本発明は、生ごみ資源化処理装置及び生ごみ資源化方法に関する。
【０００２】
【発明が解決しようとする課題】
従来、この種のものとして特開２００２−１３３０４５号公報の有機性廃棄物のリサイクル装置が公知である。このリサイクル装置は、生ごみ等有機性廃棄物をその場で再生処理機により再生処理して有価物に転化し、一般の運送業者によって飼料・肥料工場まで搬送して、再資源化の向上の他に、物流の促進を図ることができるようにしたものである。
【０００３】
このような従来技術においては、再資源化の向上、物流の促進のために、水分除去を行なう必要がある。そして、このような水分除去手段としては生ごみに熱を加えて乾燥させることが一般的である。
【０００４】
しかしながら、生ごみには多くの水分が含まれており、この水分除去を効率的に行うことが必要であった。
【０００５】
また、再生処理して有価物に転化した生ごみは、飼料や肥料の１次品として使用されるが、このようなものでは臭いが多少残っていることがあるので、飼料・肥料工場まで搬送する際の弊害となっていた。
【０００６】
そこで、本発明は、水分除去を熱を用いて乾燥させる際、乾燥効率を向上することができ、さらに臭いの発生の少ない生ごみ資源化処理装置及び生ごみ資源化方法を提供することを目的とする。
【０００７】
【課題を解決するための手段】
請求項１の発明は、生ごみの収容部と、穀類又はでんぷんの収容部と、粉或いは粒状の遠赤外線放射物質の収容部と、これら収容部に接続された混合装置と、前記混合装置に接続され該混合装置によって形成した混合物を乾燥する熱源を備えた乾燥装置とを備えたことを特徴とする生ごみ資源化処理装置である。
【０００８】
この請求項１の構成によれば、生ごみと穀類又はでんぷんと遠赤外線放射物質との混合物を乾燥させて飼料、肥料とするものである。
【０００９】
請求項２の発明は、前記穀類又はでんぷんの収容部と、前記遠赤外線放射物質の収容部を兼用していることを特徴とする請求項１記載の生ごみ資源化処理装置である。
【００１０】
この請求項２の構成によれば、穀類又はでんぷんと遠赤外線放射物質を予め混合することができる。
【００１１】
請求項３の発明は、生ごみを水分除去して肥料・飼料に利用する生ごみ資源化方法において、前記生ごみに遠赤外線放射物質を混合するとともに、前記水分除去を熱処理により乾燥させることを特徴とする資源化方法である。
【００１２】
この請求項３の構成によれば、生ごみと遠赤外線放射物質との混合物を乾燥させて飼料、肥料とするものである。
【００１３】
請求項４の発明は、前記生ごみに前記遠赤外線放射物質の他に穀類又はでんぷんを混合することを特徴とする請求項３記載の資源化方法である。
【００１４】
この請求項４の構成によれば、生ごみと穀類又はでんぷんをさらに混合するものである。
【００１５】
【発明の実施形態】
以下、本発明の一実施形態を添付図を参照して説明する。図中１は生ごみＡを収容するホッパー形状の生ごみ収容部、２は穀類Ｂ又はでんぷん及び遠赤外線放射物質Ｃを兼用して収容するホッパー形状の収容部である。尚、穀類Ｂ又はでんぷんの収容部と遠赤外線放射物質Ｃの収容部を別々に設けてもよい。そして収容部２には攪拌羽根４Ａをモータ４Ｂで回転駆動する攪拌装置４が設けられている。収容部１と収容部２の底部１Ａ，２Ａには搬送装置たるスクリュウコンベア５，６の始端が接続されており、このスクリュウコンベア５は破砕機能を備えたもので、終端は混合装置７の１次側に接続している。
【００１６】
混合装置７は、ホッパー形状の収容部８に、攪拌羽根９Ａをモータ９Ｂで回転駆動する攪拌装置９が設けられているものであって、前記スクリュウコンベア５，６の終端は収容部８の上部に接続している。そして、収容部８の２次側、すなわち底部に開閉バルブ１０を備えており、この開閉バルブ１０に混合物の搬送装置たるスクリュウコンベア１１の始端が接続されており、このスクリュウコンベア１１の終端は熱源を備えた乾燥装置１２の１次側に接続されている。尚、図中５Ａ，６Ａ，１１Ａはスクリュウコンベア５，６，１１のモータを示している。
【００１７】
前記乾燥装置１２は、軸線（図示せず）を横置きした円筒形の温度調整室１３に、軸線（図示せず）をほぼ一致させるようにして乾燥ドラム１４を貫通するとともに、その両側を支持ローラ１４Ａで回動自在に支持したものである。尚、温度調整室１３の軸線の始端側を終端側より高くなるように傾斜して設置してもよい。そして、温度調整室１３の内壁には乾燥ドラム１４に向けて熱源たるガスバーナ１５が設けられている。そして、スクリュウコンベア１１の終端は乾燥ドラム１４の始端側に接続しており、また乾燥ドラム１４の終端には排出部１６が設けられている。尚、１７は乾燥ドラム１４の室温を感知する温度センサーであり、図示しない制御装置を介してガスバーナ１５を制御して、例えば乾燥ドラム１４を摂氏１００度或いは１００度以下に加熱して加熱乾燥するようにしている。
【００１８】
図２に示すように、前記ガスバーナ１５は温度調整室１３の内壁にライン状に複数配置されており、前記乾燥ドラム１４はその内壁に遠赤外線放射材を例えば１〜４０％、好ましくは３〜４０％を含んだ耐火材キャスター１７をライニングとして設け、この耐火材キャスター１７は円環状に設けられている。さらに、耐火材キャスター１７の内壁には攪拌用の滑り止め部材１８が内側に向けて突設している。
【００１９】
次に、前記装置を用いて生ごみの資源化方法を説明する。スーパーマーケットやコンビニエンスストアなどより排出される生ごみＡは、容器などの非生ごみと分別された状態で回収されて生ごみ収容部１に投入される。また、収容部２には、穀類Ｂ又はでんぷんの他に遠赤外線放射物質Ｃを収容するとともに、攪拌装置４により攪拌混合する。前記穀類Ｂは、とうもろこしの粉、米、麦などであり、これらが１種類または複数種類混合したものが使用される。前記遠赤外線放射物質Ｃは、無害な天然鉱石を用いることが好ましく、例えば石英、長石斑岩、マグネタイト（四三酸化鉄）等の遠赤外線放射性能の高い物質を、微粉砕したもので、例えば１００メッシュ以下、好ましくは３２５メッシュ以下にする。この収容部２における配分は、穀類Ｂ又はでんぷんに対して重量比で水分が５〜４０％、好ましくは１０〜３０％、遠赤外線放射物質Ｃが１〜３０％、好ましくは１〜２０％、さらに好ましくは１〜５％とする。尚、遠赤外線放射物質Ｃは１％以下では遠赤外線により効果が乏しく、また３０％以上とすると後述する飼料として不適当となる。
【００２０】
そしてスクリュウコンベア５，６を作動させて破砕した生ごみＡと、穀類Ｂ又はでんぷん、遠赤外線放射物質Ｃを収容部８に収容する。この収容部８では攪拌装置９によって、塊状或いは粒状等に破砕された生ごみＡと、穀類Ｂ又はでんぷん、遠赤外線放射物質Ｃを攪拌混合する。この後、破砕された生ごみＡと、穀類Ｂ又はでんぷん、遠赤外線放射物質Ｃの混合物Ｄは、スクリュウコンベア１１により回転している乾燥ドラム１４の始端に搬送される。そして、ガスバーナ１５の炎により乾燥ドラム１４は加熱されるとともに、熱伝導により乾燥ドラム１４内の混合物Ｄは外側から加熱される。また、耐火材キャスター１７の遠赤外線放射材より遠赤外線が放射されて混合物Ｄは外側から加熱される。さらに、前記外側から加熱された混合物Ｄ中の遠赤外線放射物質Ｃは、加熱されて遠赤外線を放射することにより、混合物Ｄの内側より生ごみＡと、穀類Ｂ又はでんぷんを加熱することとなる。
【００２１】
このようにして、乾燥された混合物Ｄは排出部１６より排出されて、１次加工飼料として飼料工場へ搬送されるものである。そして、混合物Ｄにおける生ごみＡの臭い成分は穀類Ｂ又はでんぷんにより封じ込められて、臭いが少ない状態となっている。
【００２２】
そして、飼料工場では乾燥した混合物Ｄである１次加工飼料をさらに加工した後、最終飼料として農家などに提供するものである。この飼料は、牛、豚或いは鶏等に飼料として与えられるものである。そして、牛、豚或いは鶏等において、混合物Ｄの生ごみＡの成分と、穀類Ｂ又はでんぷんの成分とは栄養となり、一方遠赤外線放射物質Ｃは、牛、豚或いは鶏等にとって体内より体を暖めるような作用をなす調整剤の役割を果たすものである。
【００２３】
以上のように、前記実施形態では生ごみＡの収容部１と、穀類Ｂ又はでんぷんの収容部２と、粉或いは粒状の遠赤外線放射物質Ｃの収容部２と、これら収容部１，２に接続された混合装置７と、前記混合装置７に接続され該混合装置７によって形成した混合物Ｄを乾燥するガスバーナ１５を備えた乾燥装置１２とを備え、生ごみＡの破砕物と穀類Ｂ又はでんぷんと遠赤外線放射物質Ｃを混合した後、乾燥して混合物Ｄを製造することにより、前記遠赤外線放射物質Ｃ穀類Ｂ又はでんぷんにより生ごみＡの臭い成分を封じ込めることができ、また遠赤外線放射物質Ｃにより混合物Ｄを内側より加熱して乾燥することができ、さらに混合物Ｄを飼料とすることにより、家畜などの体調を良好に保つことができる。
【００２４】
さらに、前記穀類Ｂ又はでんぷんの収容部２と、前記遠赤外線放射物質Ｃの収容部２を兼用していることにより、穀類Ｂ又はでんぷんと遠赤外線放射物質Ｃを予め混合することができ、この結果破砕した生ごみＡと、穀類Ｂ又はでんぷんと遠赤外線放射物質Ｃを均一に混合することができる。
【００２５】
また、生ごみＡを水分除去して一次肥料・飼料に利用する生ごみ資源化方法において、前記生ごみＡに遠赤外線放射物質Ｃを混合するとともに、前記水分除去をガスバーナ１５を備えた乾燥装置１２により乾燥させることにより、加熱された遠赤外線放射物質Ｃにより混合物Ｄを内側より加熱して乾燥することができ、乾燥効率を向上することができる。
【００２６】
しかも、前記生ごみＡに前記遠赤外線放射物質Ｃの他に穀類Ｂ又はでんぷんを混合することにより、生ごみＡの臭い成分を封じ込めることができる。
【００２７】
また、前記遠赤外線放射物質Ｃが放射する遠赤外線により臭い成分が分解されるとともに滅菌もできるので、いっそう臭いを低減することができる。さらに、牛などにとっては、上述の遠赤外線放射物質Ｃでは育成光線（波長４〜１４μｍ）の放射率が高いので、牛などの発育が促成され、病気への感染率を抑えることができ、遠赤外線放射物質Ｃは天然鉱石を使用することにより、微量に溶け出したミネラル分が発育に必要なミネラル分として供給される。また、遠赤外線放射物質Ｃが牛などに与えられると、その抗菌、脱臭作用により糞尿の臭いをも大幅に低減することができる。
【００２８】
次の表１は石英、長石斑岩の抗菌試験結果であり、細菌が５７．４％、５４．７％と低減していることが判明している。
【００２９】
【表１】
2004058027.tif 000003
【００３０】
次の表１は石英、長石斑岩の脱臭試験結果であり、脱臭率が２７〜３２％となっていることが判明している。
【００３１】
【表２】
2004058027.tif 000004
【００３２】
しかも、前記遠赤外線放射物質Ｃは、無害な天然鉱石を用いれば、安全性も確保するすることができる。さらに、例えばブロイラーの飼育の時に、前述の飼料を与えることにより、通常は卵から孵化してほぼ１２０日で出荷していたものが、生育を早めて１００〜１０５日で出荷できるようなことも可能となる。また、前述の飼料によるかつ区などの糞尿においては、良質な肥料にもなる。
【００３３】
尚、本発明は上記実施形態に限定されるものではなく、例えば、飼料ではなく肥料などに使用するなど本発明の要旨の範囲内において、種々の変形実施が可能である。
【００３４】
【発明の効果】
請求項１の発明は、生ごみの収容部と、穀類又はでんぷんの収容部と、粉或いは粒状の遠赤外線放射物質の収容部と、これら収容部に接続された混合装置と、前記混合装置に接続され該混合装置によって形成した混合物を乾燥する熱源を備えた乾燥装置とを備えたことを特徴とする生ごみ資源化処理装置であり、前記穀類又はでんぷんにより生ごみの臭い成分を封じ込めることができ、また遠赤外線放射物質により乾燥効率を向上することができる。
【００３５】
請求項２の発明は、前記穀類又はでんぷんの収容部と、前記遠赤外線放射物質の収容部を兼用していることを特徴とする請求項１記載の生ごみ資源化処理装置であり、生ごみと、穀類又はでんぷんと遠赤外線放射物質を均一に混合することができる。
【００３６】
請求項３の発明は、生ごみを水分除去して肥料・飼料に利用する生ごみ資源化方法において、前記生ごみに遠赤外線放射物質を混合するとともに、前記水分除去を熱処理により乾燥させることを特徴とする資源化方法であり、遠赤外線放射物質により乾燥効率を向上することができる。
【００３７】
請求項４の発明は、前記生ごみに前記遠赤外線放射物質の他に穀類又はでんぷんを混合することを特徴とする請求項３記載の資源化方法であり、前記穀類又はでんぷんにより生ごみの臭い成分を封じ込めることができる。
【図面の簡単な説明】
【図１】本発明の一実施形態を示す装置全体の説明図である。
【図２】本発明の一実施形態を示す要部の断面図である。
【符号の説明】
１　収容部
２　収容部
７　混合装置
１２　乾燥装置
１５　ガスバーナ（熱源）
Ａ　生ごみ
Ｂ　穀類
Ｃ　遠赤外線放射物質
Ｄ　混合物
【図１】
2004058027.tif 000005
【図２】
2004058027.tif 000006